(57)【要約】  記録層上のトラック中にマークを書き込むことにより、情報を記録する記録担体。情報の記録に用いられる最短のマークは、チャネルビット長の予め規定された最小数分ｄの長さを有する。記録担体（１１）は、焦点マーク（１８，１９）を含むキャリアパターンにより変調されたプリグルーブを有する。このキャリアパターンは、記録層上の予め規定された位置に、焦点調整領域（１２）を与える。焦点マークは、走査スポットの有効径よりも実質的に長くあるために、最短のマークの長さの少なくとも２倍の長さを有する。走査装置は、焦点調整領域の位置を特定し、キャリアパターンの走査中における読出信号の最大の振幅を検出することにより、最良の焦点オフセットを決定する。
2007508645.tif 000002
【特許請求の範囲】
【請求項１】
当該記録担体の入射面から入射し、トラック上において有効径を有する走査スポットを構成する放射ビームによって、記録層上の前記トラック中にマークを書き込むことにより情報を記録する、書込可能型の記録担体であって、
−  前記マークが、チャネルビット長Ｔの所定数分に対応する長さを有しており、最短のマークが、前記有効径を有する前記走査スポットにより検出可能であるために、前記チャネルビット長Ｔの予め規定された最小数分ｄの長さを有しており、
−  前記記録層が、前記トラックを示すプリグルーブを含んでおり、該プリグルーブが、前記トラックの長手方向と交差する方向への該プリグルーブの変位により構成されたウォブルを呈しており、前記プリグルーブが、焦点マークを含むキャリアパターンを構成する、プリグルーブ領域の深さおよび／または幅のプリグルーブ変調を含んでおり、
−  前記焦点マークが、前記走査スポットの前記有効径よりも実質的に長くあるために、前記チャネルビット長Ｔの前記予め規定された最小数分ｄよりも実質的に長い長さを有しており、
−  前記キャリアパターンが、前記記録層の予め規定された位置に配された焦点調整領域を構成していることを特徴とする記録担体。
【請求項２】
前記焦点マークが、前記チャネルビット長Ｔの前記予め規定された最小数分ｄの少なくとも２倍の長さを有していることを特徴とする請求項１記載の記録担体。
【請求項３】
前記焦点マークが、予め規定された深さおよび幅を有するピット焦点マークと交互に配された、深さゼロのランド焦点マークを含むことを特徴とする請求項１または２記載の記録担体。
【請求項４】
前記ランド焦点マークと前記ピット焦点マークとが、５０％未満のデューティーサイクル、好ましくは１０％未満のデューティーサイクルで、互いに連なって配されており、前記ピット焦点マークの方がより長くされていることを特徴とする請求項１から３いずれか１項記載の記録担体。
【請求項５】
前記ピット焦点マークが、少なくとも前記チャネルビット長Ｔの１００個分の長さを有し、前記デューティーサイクルが１０％未満であることを特徴とする請求項３記載の記録担体。
【請求項６】
連続する１つのピット焦点マークと１つのランド焦点マークとの全体の周期が、ウォブル長のＮ／２倍（Ｎは整数）に等しく、前記ランド焦点マークは、前記ウォブルが変位を有さない位置に合わせて配されていることを特徴とする請求項３、または請求項３に従属する請求項４もしくは５いずれか１項記載の記録担体。
【請求項７】
１つのランド焦点マークが、隣接トラック上の別の１つのランド焦点マークと直接隣り合って発生する発生数が最少とされ、好ましくは、前記キャリアパターンのランド焦点マークが、直接隣り合うランド焦点マークを隣接トラック上に有さないことを特徴とする請求項３、または請求項３に従属する請求項４から６いずれか１項記載の記録担体。
【請求項８】
トラックピッチの何倍かに等しい半径内において、いずれの方向にも前記ランド焦点マークの位置に周期性が生じないように、前記ランド焦点マークが、前記キャリアパターン内においてランダムに配されていることを特徴とする請求項３、または請求項３に従属する請求項４から７いずれか１項記載の記録担体。
【請求項９】
前記ランド焦点マークの始点位置が、ウォブルの同期と位置合わせされていることを特徴とする請求項１から８いずれか１項記載の記録担体。
【請求項１０】
前記焦点マークが、単調ウォブル領域内にのみ配されていることを特徴とする請求項１から９いずれか１項記載の記録担体。
【請求項１１】
前記焦点マークが、少なくとも１つ、好ましくはより多くのトラックに亘って存在していることを特徴とする請求項１から１０いずれか１項記載の記録担体。
【請求項１２】
当該記録担体が、少なくとも第１の記録層と第２の記録層とを備え、前記第１の記録層が、前記第２の記録層よりも前記入射面に近い位置にあり、各記録層が、前記焦点マークを有していることを特徴とする請求項１から１１いずれか１項記載の記録担体。
【請求項１３】
各記録層が、実質的に対応する半径方向位置に、前記焦点マークを含んでいることを特徴とする請求項１２記載の記録担体。
【請求項１４】
前記予め規定された最小数分ｄが、前記チャネルビット長Ｔの３個分であり（ｄ＝３Ｔ）、前記焦点マークが、少なくとも６Ｔの長さ、とりわけ８Ｔから１４Ｔの範囲内にある長さを有することを特徴とする請求項２記載の記録担体。
【請求項１５】
前記キャリアパターンが、実質的に前記焦点マークのみを含んでいることを特徴とする請求項１記載の記録担体。
【請求項１６】
前記プリグルーブ変調が、予め規定されたチャネルコード化アルゴリズムに従って前記焦点マークによりコード化された追加情報を表しており、前記予め規定されたチャネルコード化アルゴリズムが、記録される前記情報を表すチャネルコード化アルゴリズムとは異なるアルゴリズムであることを特徴とする請求項１記載の記録担体。
【請求項１７】
記録担体上の、記録層上のマークを含むトラックを、前記記録担体の入射面から入射し、前記トラック上において有効径を有する走査スポットを構成する放射ビームによって、走査する装置であって、
前記マークが、チャネルビット長Ｔの整数個分に対応する長さを有しており、最短のマークが、前記有効径を有する前記走査スポットにより検出可能であるために、前記チャネルビット長Ｔの予め規定された最小数分ｄの長さを有しており、前記記録層が、前記トラックを示すプリグルーブを含んでおり、該プリグルーブが、前記トラックの長手方向と交差する方向への該プリグルーブの変位により構成されたウォブルを呈しており、前記プリグルーブが、焦点マークを含むキャリアパターンを構成する、プリグルーブ領域の深さおよび／または幅のプリグルーブ変調を含んでおり、前記焦点マークが、前記走査スポットの前記有効径よりも実質的に長くあるために、前記チャネルビット長Ｔの前記予め規定された最小数分ｄよりも実質的に長い長さを有しており、前記キャリアパターンが、前記記録層の予め規定された位置に配された焦点調整領域を構成しており、
当該装置が、
−  前記ビームを与えるヘッドと、
−  前記走査スポットを構成するように前記トラック上に前記ビームを合焦させるための焦点サーボ手段と、
−  前記トラック中のマークを検出するための走査信号を発生させるフロントエンドユニットと、
−  前記焦点調整領域の位置を特定し、前記焦点調整領域の走査中における前記キャリアパターンに起因する前記走査信号の振幅に依存して、前記焦点サーボ手段を調整する焦点調整ユニットとを含むことを特徴とする装置。
【請求項１８】
前記焦点マークが、前記チャネルビット長Ｔの前記予め規定された最小数分ｄの少なくとも２倍の長さを有していることを特徴とする請求項１７記載の装置。
【請求項１９】
前記焦点マークが、予め規定された深さおよび幅を有するピット焦点マークと交互に配された、深さゼロのランド焦点マークを含むことを特徴とする請求項１７または１８記載の装置。
【請求項２０】
前記ランド焦点マークと前記ピット焦点マークとが、５０％未満のデューティーサイクル、好ましくは１０％未満のデューティーサイクルで、互いに連なって配されており、前記ピット焦点マークの方がより長くされていることを特徴とする請求項１９記載の装置。
【請求項２１】
前記焦点サーボ手段が、前記記録担体の少なくとも第１の記録層および第２の記録層のうちの１つに合焦させるように構成されており、前記第１の記録層が、前記第２の記録層よりも前記入射面に近い位置にあり、各記録層が、焦点調整パターンを有しており、前記焦点調整ユニットが、各記録層について個別に、前記焦点調整領域の位置を特定し、該記録層の前記焦点調整領域の走査中における前記キャリアパターンに起因する前記走査信号の振幅に依存して、前記焦点サーボ手段を調整するように構成されていることを特徴とする請求項１７から２０いずれか１項記載の装置。
【請求項２２】
前記焦点調整ユニットが、焦点テストパターンを書き、その後の該テストパターンの読出中において検出されたジッタまたはエラーに依存して、前記焦点サーボ手段をさらに調整するように構成されていることを特徴とする請求項１７から２１いずれか１項記載の装置。
【請求項２３】
当該装置が、予め規定されたチャネルコード化アルゴリズムに従って前記プリグルーブ変調にコード化された追加情報を、前記走査信号から取り出すためのプリグルーブ復調ユニットを含んでおり、前記予め規定されたチャネルコード化アルゴリズムが、記録される前記情報を表すチャネルコード化アルゴリズムとは異なるアルゴリズムであることを特徴とする請求項１７から２２いずれか１項記載の装置。
【発明の詳細な説明】
【技術分野】
【０００１】
本発明は、トラック中にマークを書き込むことにより情報を記録する、書込可能型の記録担体に関するものである。
【０００２】
本発明はまた、記録担体を走査する装置にも関するものである。
【背景技術】
【０００３】
米国特許出願公開２００２／０１５０００５号には、ある記録担体が記載されており、この記録担体は、光読出可能なマークを記録することによりその中に予め規定された態様で情報が表されるべきトラックの位置を示す、案内溝（通常、プリグルーブと呼ばれる）を備えている。プリグルーブは、交差方向へのトラックの周期的な変位（以下、ウォブルと呼ぶ）によって蛇行している。ウォブルは、アドレス等の追加情報に従って、周期的に変動させられてもよい。対応の走査装置は、ウォブルに基づいて、トラックに対するヘッドの空間的なずれを検出するためのトラッキングサーボ信号を発生させる、補助検出器を有する。トラッキングサーボ信号は、アクチュエータを制御して、ヘッドをトラック上に位置決めするために用いられる。ウォブルの周期的な変動は、補助情報（たとえばアドレス情報）を取り出すために検出される。ビームの最適な合焦のために、装置は、予め生成されたデータパターンが与えられた焦点調整領域の読出しを行うことにより、焦点調整機能を実行する。サーボオフセットは、上記のデータパターンの走査中における読出信号のジッタ値またはエラー率に基づいて、調整される。予め生成されるデータパターンは、グルーブ深さとは異なる深さで、記録担体の製造時において、その記録担体に施されなくてはならない。かかる予め生成されるデータパターンはプリグルーブとは異なるので、追加の製造工程が必要とされる。
【発明の開示】
【発明が解決しようとする課題】
【０００４】
したがって、本発明の１つの目的は、焦点オフセットを調整するための予め生成されたデータパターンを必要とせずに、走査ビームの焦点を調整するための記録担体および走査装置を提供することである。
【課題を解決するための手段】
【０００５】
本発明の第１の側面によれば、上記の目的は、当該記録担体の入射面から入射し、トラック上において有効径を有する走査スポットを構成する放射ビームによって、記録層上のトラック中にマークを書き込むことにより情報を記録する、書込可能型の記録担体であって、上記のマークが、チャネルビット長Ｔの所定数分に対応する長さを有しており、最短のマークが、有効径を有する走査スポットにより検出可能であるために、上記のチャネルビット長Ｔの予め規定された最小数分ｄの長さを有しており、上記の記録層が、トラックを示すプリグルーブを含んでおり、そのプリグルーブが、トラックの長手方向と交差する方向へのそのプリグルーブの変位により構成されたウォブルを呈しており、そのプリグルーブが、焦点マークを含むキャリアパターン（ｃａｒｒｉｅｒ  ｐａｔｔｅｒｎ）を構成する、プリグルーブ領域の深さおよび／または幅のプリグルーブ変調を含んでおり、上記の焦点マークが、走査スポットの有効径よりも実質的に長くあるために、上記のチャネルビット長Ｔの予め規定された最小数分ｄの少なくとも２倍の長さを有しており、上記のキャリアパターンが、記録層の予め規定された位置に配された焦点調整領域を構成している記録担体により達成される。
【０００６】
本発明の第２の側面によれば、上記の目的は、上記に述べた記録担体上のトラックを、放射ビームによって走査する装置であって、ビームを与えるヘッドと、上記の走査スポットを構成するようにトラック上にビームを合焦させるための焦点サーボ手段と、トラック中のマークを検出するための走査信号を発生させるフロントエンドユニットと、上記の焦点調整領域の位置を特定し、焦点調整領域の走査中におけるキャリアパターンに起因する走査信号の振幅に依存して、上記の焦点サーボ手段を調整する焦点調整ユニットとを含む装置により達成される。
【０００７】
これらの方策は、記録担体の製造時に、プリグルーブを生成するために既に用いられているのと同様の製造工程を用いて、キャリアパターンが生成されるという利点を有する。キャリアパターン内に焦点マークを含めることの効果は、走査信号の最大の振幅に基づいて検出される焦点オフセットが、実質的に最良の焦点オフセットに対応するようになることである。焦点マークは、走査スポットの有効径よりも実質的に長くされる。この走査スポットの有効径は、少なくとも予め規定された最小サイズからマークの読出しを行うのに有効であり、通常、放射強度がそのピーク値の５０％に落ち込む個所の直径として定義される。
【０００８】
本発明はまた、以下の認識にも基づいている。高密度の光記録では、たとえば記録層の理想的でない深さ位置により生じる光学収差の作用により品質が損なわれ得る、読出信号を改善するために、焦点オフセットが用いられる。ジッタは、種々のマーク長を用いたチャネルコード化に従うユーザーデータを表すマークの、読出時に生じるエラーを示す指標となることが、一般的に知られている。そのため、データパターンが利用可能である際に、ジッタが測定されてもよい。しかしながら、本発明の発明者は、予め書き込まれるデータパターンを省略して、プリグルーブ変調を適用することにより焦点調整パターンを付与することを考えた。プリグルーブ変調の読出信号の振幅および品質は、比較的低いことが分かった。したがって、ジッタの測定は非現実的である。驚くべきことに、プッシュプル信号の最大値（通常、ヘッドを正しい焦点でトラック上に位置決めするために、プリグルーブから検出される）も、最良の焦点オフセットに対応しないことが分かった。本発明の発明者は、焦点オフセットを決定するためにプリグルーブ変調パターンに振幅測定を適用する際、最大の振幅が必ずしも最良のオフセット値と符合しないことを知った。とりわけ、短いマークを使用したときに、最大の振幅と最良の焦点とのずれが見られた。そのため、本発明のキャリアパターンは、焦点マークに起因する振幅を検出するのに十分な焦点マークを含むものとされる。ここで、「マークが、チャネルビット長Ｔの所定数分に対応する長さを有しており」との句は、マークの長さが、チャネルビット長Ｔの整数個分（たとえば３Ｔ）であってもよく、あるいはチャネルビットの実数倍分（たとえば３．２Ｔ）であってもよいことを意味する。
【０００９】
本発明に係る記録担体の１つの実施形態では、焦点マークは、予め規定された深さおよび幅を有するピット焦点マークと交互に配された、深さゼロのランド焦点マークを含むものとされる。ここでいう深さゼロとは、およそゼロの深さであることを意味する。ランド焦点マークの深さが厳密にゼロであることは重要でなく、ランドの深さとピットの深さとの差が、検出されるのに十分な程度異なることが重要である。
【００１０】
本発明に係る記録担体の別の１つの実施形態では、ランド焦点マークとピット焦点マークとが、５０％未満のデューティーサイクル、好ましくは１０％未満のデューティーサイクルで、互いに連なって配され、かつピット焦点マークの方がより長くされる。この実施形態は、ランドがプッシュプル・トラッキング信号に与えるかもしれない悪影響が低減されるという利点を有する。５０％のランド焦点マークとピット焦点マークとのデューティーサイクルは、約１／２程度低減された振幅を有するプッシュプル・トラッキング信号を結果としてもたらす。また、プッシュプル・トラッキング信号内には、ＤＣオフセットが導入される。その結果、トラッキングの信頼性がより低くなる。焦点マークのデューティーサイクルを小さくすることにより、プッシュプル・トラッキング信号が受ける焦点マークの影響は、より少なくなる。たとえば、ピット焦点マークが少なくともチャネルビット長Ｔの１００個分の長さを有し、ランド焦点マークがチャネルビット長Ｔの約１０個分の長さを有する実施形態では、デューティーサイクルは１０％未満となる。本発明の発明者は、ピット焦点マークの長さを１５８Ｔとし、かつランド焦点マークの長さを８Ｔとした際に、良好な結果を得た。
【００１１】
本発明のある有利な実施形態では、連続する１つのピット焦点マークと１つのランド焦点マークとの全体の周期が、ウォブル長のＮ／２倍（Ｎは整数）に等しくされ、かつランド焦点マークは、ウォブルが変位を有さない位置に合わせて配される。この実施形態は、ウォブル振幅があまり低下させられないという利点を有する。
【００１２】
本発明の別の１つの実施形態では、キャリアパターン内において、隣接トラック上の別の１つのランド焦点マークと直接隣り合うランド焦点マークの数が最少とされ、好ましくは、キャリアパターン内のランド焦点マークが、直接隣り合うランド焦点マークを隣接トラック上に有さないようにされる。すなわち、第１のトラック内の第１のランド焦点マークに対し、隣接トラック内に、その第１のランド焦点マークに隣接する第２のランド焦点マークが存在しないようになる。この実施形態は、プッシュプル・トラッキング信号中のＤＣオフセットがより少なくなるという利点を有する。
【００１３】
本発明の記録担体のある実施形態におけるさらなる改良として、トラックピッチの何倍かに等しい半径Ｒ内において、いずれの方向にもランド焦点マークの位置に周期性が生じないように、ランド焦点マークが、キャリアパターン内においてランダムに配されてもよい。
【００１４】
また、焦点マークの始点位置が、ウォブルの同期と位置合わせされていると好ましい。この形態は、どのみち行われるウォブル検出から導出されるタイミングを利用して、焦点マークの信号レベルをサンプリングすることができるという利点を有する。このことは、焦点マーク計測の精度を高める。
【００１５】
別の１つの実施形態では、焦点マークは、単調ウォブル領域内にのみ配される。この形態は、ウォブルデータの品質が焦点マークの存在により低下させられず、したがってより信頼性の高いウォブル情報の読出しに繋がるという利点を有する。ここで、単調ウォブル領域とは、その領域内においてウォブルが一定の周波数および位相を有するような領域である。
【００１６】
本発明の記録担体のある好ましい実施形態では、焦点マークが、少なくとも１つ、好ましくはより多くのトラックに亘って存在する。この実施形態により、よりロバストな焦点最適化を行うことが可能となる。ＳＮＲの要請のため、焦点マークは、１つより多くのトラックに亘って存在することが好ましい。ここで、カバーするトラック数の上限（たとえば１００）は、ディスク容量の減少を抑えるためであると理解されたい。
【００１７】
本発明のある実施形態では、記録担体は、少なくとも第１の記録層と第２の記録層とを備えるものとされ、第１の記録層が、第２の記録層よりも入射面に近い位置にあり、各記録層が、焦点調整パターンを有するものとされる。このことは、それぞれの焦点調整パターンを介して、各層に対する焦点オフセットが調整可能になるという利点を有する。特に、焦点マークを含むキャリアパターンに起因する信号の振幅を最大とすることによって、焦点が合わせられていない層からの迷光の影響を補正することができる。２つを超える層を持つ記録担体は、各層に焦点マークを有することが好ましい。
【００１８】
本発明に係る記録担体のある実施形態では、上記のキャリアパターンは、実質的に焦点マークのみを含むものとされる。かかるキャリアパターンは、主として焦点マークによって構成される。すなわち、かかるキャリアパターンは、走査スポットの有効径に対して長いマークを、少なくとも５０％有するパターンとなる。有利なことに、かかるキャリアパターンは、最良の焦点オフセットに対応する最大の信号振幅を与える。
【００１９】
ここで、焦点調整領域内にマークの焦点テストパターンを含む光記録媒体が、欧州特許出願公開ＥＰ１１３６９８８号に記載されている点を注記しておく。このテストパターンは、特に、２Ｔまたは３Ｔといった短いマークにより構成されている。ユーザーデータは、最少１個、最大７個のチャネルビット分の同一の信号の値が信号遷移間に存在するＲＬＬ（１，７）コードのような、ランレングス制限付コードを用いて記録される。この場合、２から８チャネルビット長（２Ｔから８Ｔ）のマークが、結果として得られる。走査ビームを合焦させるため、装置は焦点調整機能を実行し、焦点テストパターンを読み出すことにより焦点オフセットを決定する。焦点サーボゲインは、異なる読出焦点オフセットの読出信号の振幅差に基づいて調整される。本発明では、焦点調整領域内のキャリアパターンは、上記の焦点マークを含むプリグルーブ変調により構成される。
【００２０】
本発明に従う装置の他の好ましい実施形態は、さらに別の請求項に示されている。
【発明を実施するための最良の形態】
【００２１】
本発明の上記およびその他の側面は、以下において図面を参照しながら例として説明する実施形態を参照することにより、さらに明らかとなる。図中において、前に述べた要素に対応する要素は、同一の参照番号を有する。
【００２２】
図１ａは、トラック９と中心穴１０とを有する、ディスク形状の記録担体１１を示している。トラック９は、情報層上において実質的に平行なトラックを構成する、複数回転の螺旋パターンに従って配されている。この記録担体は、記録可能な情報層を有する光ディスクであってもよい。記録可能型のディスクの例としては、ＣＤ−Ｒ、ＣＤ−ＲＷ、およびＤＶＤ＋ＲＷが挙げられる。記録可能型の記録担体上のトラック９は、空の記録担体の製造時に付与された、予めエンボス形成されたトラック構造（たとえばプリグルーブ）により示されている。記録された情報は、トラックに沿って記録された光検出可能なマークにより、情報層上に表される。これらのマークは、第１の物理パラメータの変動により構成され、それにより周辺部分とは異なる光学的特性（たとえば反射率の変動）を有する。
【００２３】
図１ｂは、記録可能型の記録担体１１の、直線ｂ−ｂに沿って得られた断面図である。図１ｂでは、透明基板１５に、記録層１６および保護層１７が付与されている。トラック構造は、たとえば、走査時において読出／書込ヘッドがトラック９を辿ることを可能とする、プリグルーブ１４により構成されている。プリグルーブ１４は、凹状部として実装されても凸状部として実装されてもよいし、プリグルーブの材料とは異なる光学的特性を有する材料からなっていてもよい。プリグルーブは、走査時において、読出／書込ヘッドがトラック９を辿ることを可能とする。トラック構造はまた、周期的にサーボ信号を生じさせる、規則的に分配された複数のサブトラックにより形成されてもよい。記録担体は、たとえばビデオ情報やオーディオ情報といったリアルタイム情報を担持するよう意図されたものであってもよいし、コンピュータデータ等の他のデータを担持するよう意図されたものであってもよい。
【００２４】
図１ｃは、トラックのウォブルの一例を示した図である。この図は、トラックの交差方向位置の周期的な変動（これがウォブルとも呼ばれる）を示している。この変動は、補助検出器中（たとえば、走査装置のヘッド内の中心スポットにある分割検出器により発生させられるプッシュプルチャネル中）において、追加の信号が生じるようになす。ウォブルは、たとえば周波数変調されており、位置情報がその変調中にコード化されている。そのようにコード化されたディスク情報を含む、書込可能型のＣＤシステムにおける図１ｃに示したような従来技術のウォブルに関する包括的な説明が、米国特許第４，９０１，３００号（整理番号ＰＨＮ１２．３９８）および第５，１８７，６９９号（整理番号ＰＨＱ８８．００２）に記載されている。
【００２５】
走査による読出時において、ウォブルのトラック変調は、第２のタイプの放射の変動によって検出可能である。この第２のタイプの放射の変動の例としては、トラッキングサーボ信号を発生させるための検出器セグメントまたは追加の検出器により検出可能な、反射ビームの断面強度の変動が挙げられる。トラッキングサーボシステムのためにウォブルを検出することは、上記のＣＤ−ＲおよびＣＤ−ＲＷシステムより周知である。
【００２６】
ユーザーデータは、たとえばＣＤまたはＤＶＤのチャネルコード化方式に従う、チャネルビットと呼ばれる単位を単位とする長さを有するマークにより、記録担体上への記録が可能である。各マークは、チャネルビット長Ｔの所定数分に対応する長さを有する。使用される最短のマークは、トラック上において有効径を有する走査スポットにより検出可能であるために、チャネルビット長Ｔの予め規定された最小数分ｄの長さを有する。上記の有効径は、通常、最短のマークの長さにほぼ等しい。
【００２７】
本発明によれば、記録担体は、記録層上の予め規定された位置に、焦点調整領域１２を有する。この予め規定された位置は、図中では長方形１２によってトラック９の一部として模式的に示されているが、実際には、焦点調整領域１２は、読出信号の最大値の特定を可能とするのに十分な長さ、たとえばトラックの数回のうねり分の長さを有する。通常、焦点調整領域は、まだ焦点が最適化されていないときに位置の特定が可能である。たとえば、プリグルーブからのアドレス検出が可能とされる。
【００２８】
ある実施形態では、トラック内のアドレスを読み出す必要なしに光ヘッドの半径方向の位置決めに基づいて、装置が焦点調整領域の位置を特定できるようにするため、上記の予め規定された位置は、予め規定された半径範囲をカバーする領域とされる。
【００２９】
焦点調整領域１２は、以下に説明するような最良の焦点オフセットを設定するための焦点調整処理を実行するために設けられている。このことは、ユーザーデータの読出信号における低いジッタを結果としてもたらす。焦点調整領域１２には、その記録担体の製造時において、焦点マークを含むキャリアパターンが付与される。キャリアパターンは、走査スポットの有効径よりも実質的に長くあるため、ユーザーデータのコード化に用いられる最短のマークの長さに比べて長くされたマークを含む、予め書き込まれたマークの連なりである。この焦点マークは、とりわけ、チャネルビット長Ｔの予め規定された最小数分ｄの少なくとも２倍の長さを有する。種々の実施形態において、キャリアパターンは、単一の長さを有する複数の焦点マークにより構成されてもよいし、数種類の長さを用いた予め規定されたパターンであってもよいし、さらなる情報をコード化するためにランダムに変動または変調されたパターンであってもよい。
【００３０】
本発明のある実施形態では、主情報を記録するための最短のマークは、チャネルビット長３個分の長さを有し、このことは通常ｄ＝３Ｔまたは３Ｉと表記される。たとえばＤＶＤでは、チャネルコードは、最小長さ３Ｔと最大長さ１１Ｔとを有するＲＬＬ（２，１０）コードであり、一方、１４Ｔのマークが同期のために用いられる。かかるシステムでは、焦点マークは、少なくとも６Ｔまたは７Ｔの長さを有し、好ましくは少なくとも８Ｔの長さを有する。ある実用的な単調キャリアパターンは、たとえばピットと介在するランドとが１１Ｔの長さを有するといったような、単一サイズの焦点マークを有する。ここで、チャネルビット長の予め規定された数分に対応するウォブルに対して、その予め規定された数に適合するパターンを構成するように、適切なプリグルーブマーク長が選択される点に留意されたい。ＤＶＤ＋ＲＷの場合のような３２チャネルビットのウォブルに対しては、適切な長さは、８Ｔのプリグルーブ・ランドと交互に配された、８Ｔのプリグルーブ・ピットである。情報を焦点マークにコード化するための適切な長さ範囲は、６Ｔから１４Ｔ、または１０Ｔから１２Ｔの範囲である。
【００３１】
本発明のある実施形態では、キャリアパターンを有する焦点調整領域を構成するために、読出専用記録担体上の予め記録されたデータに類似するピットとランドとの領域が、記録担体に設けられる。これらのピットおよびランドは、上記で述べたような最短のユーザーデータピットと比べて長いものとされる。
【００３２】
本発明のある実施形態では、プリグルーブは、以下に説明するような、プリグルーブの形状に関連する物理パラメータの変動により構成された、プリグルーブ変調を与えられる。
【００３３】
図１ｄは、幅の変動によるプリグルーブ変調を有するウォブルを示している。この図は、プリグルーブ変調１３を有する、ウォブル状とされたプリグルーブ１４を示している。プリグルーブの形状、すなわちここでは局所的な断面形状が、コード化されるべき追加情報信号に従って変化させられている。かかる形状の変化は、走査中においてトラックから反射される放射に影響を与え、それにより検出が可能である。図に示されているように、ここではプリグルーブの幅が、デジタル変調パターンに従って変調される。
【００３４】
図１ｅは、深さの変動によるプリグルーブ変調を有するウォブルを示している。図に示されているように、予め規定された深さを有するプリグルーブ・ピット領域１８と、深さゼロを有する（すなわちプリグルーブが存在しない）プリグルーブ・ランド領域１９とを構成するために、深さがデジタル的に変動させられている。これに代えて、別の深さの変動態様を用いてもよい。
【００３５】
ある実施形態では、ピットとランドとが、５０％未満のデューティーサイクル、好ましくは１０％未満のデューティーサイクルで、互いに連なって配され、かつピットの方がより長くされる。図１１に、約１５％のデューティーサイクルで連なって配されたピット１８とランド１９とが示されている。図１２には、約５％のデューティーサイクルを有する長いマークのテストパターンを伴う、スタンパーの顕微鏡写真が示されている。図１３には、図１２の長いマークのテストパターンを読み取った結果として得られる、走査信号１００（ＣＡ信号とも呼ぶ）が示されている。図１４には、図１２の長いマークのテストパターンを読み取った際に得られる、プッシュプル・トラッキング信号１０１が示されている。図１４にはさらに、対応の走査信号１００すなわちＣＡ信号も示されている。図から見て取れるように、焦点マークの５％のデューティーサイクルに起因する、プッシュプル・トラッキング信号への視認可能な影響は、ほとんど存在しない。
【００３６】
かかる記録担体の製造のためには、マスターディスクが作製される。マスタリング処理において、レーザービームレコーダーによってプリグルーブが書き込まれる。トラックの公称中心位置に交差方向の小さなオフセットを加えることによりウォブルが作製され、さらに、プリグルーブの形状変調を与えるために、マスタリング用レーザービームのレーザーパワーの強度が変調される。
【００３７】
ある実施形態では、追加のデータチャネルを生成するのに、トラックに沿ったプリグルーブ（幅、深さ）の変調が用いられる。その場合、未記録状態のディスク（Ｒ型またはＲＷ型）は、追加のマスタリングされたデータ、たとえば記録制御データを含む。追加データは、主ユーザーデータのコード化に用いられるチャネルコードと、類似または同一のチャネルコードを用いてコード化されてもよい。このことは、追加データをデコードするのに何ら追加の回路構成が必要とされないという利点を有する。ある実施形態では、異なる変調が、すなわち主ユーザーデータのコード化に用いられるチャネルコードとは異なるチャネル変調コードが用いられる。このことは、情報をプリグルーブにコード化するのに、プリグルーブの他の特性を乱さないように最適化された任意の変調を用いることを可能とする。たとえば、パルスの位置によって追加データをコード化する、「一定長パルス」を有する変調を用いることができる。
【００３８】
ある実施形態では、焦点調整領域は、ＤＶＤのような要求される規格フォーマットに従って、関連するＨＦデータを含まない領域（たとえばリードアウト領域や中間領域）内に配される。
【００３９】
ある実施形態では、プリグルーブ内の追加データは、重畳された高周波の主ユーザーデータとその追加データとを区別するように変調される。かかる変調の例としては、ランレングス変調、周波数変調、振幅変調、位相変調、または主ユーザーデータの変調と異なる他の任意の変調方式が挙げられる。
【００４０】
図２は、焦点調整を有する走査装置を示した図である。この装置には、記録担体１１上のトラックを走査する手段が設けられており、この手段は、記録担体１１を回転させる駆動ユニット２１と、ヘッド２２と、ヘッド２２をトラック上に位置決めするためのサーボユニット２５と、制御ユニット２０とを含んでいる。ヘッド２２は、放射ビーム２４を発生させる既知のタイプの光学系を含んでおり、この放射ビーム２４は、光学素子を介して導かれ、記録担体の情報層のトラック上の放射スポット２３に合焦させられる。放射ビーム２４は、たとえばレーザーダイオードといった放射源により発生させられる。ヘッドはさらに、放射ビーム２４の焦点をビームの光軸に沿って移動させる焦点アクチュエータと、トラック中心の半径方向位置にスポット２３を精度よく位置決めするためのトラッキングアクチュエータとを含んでいる（図示せず）。トラッキングアクチュエータは、光学素子を半径方向に移動させるコイルを含んでいてもよいし、あるいは反射素子の角度を変更するように構成されていてもよい。焦点アクチュエータおよびトラッキングアクチュエータは、サーボユニット２５からのアクチュエータ信号によって駆動される。読出しの際には、情報層により反射された放射が、ヘッド２２内にある通常のタイプの検出器（たとえば４分割ダイオード）によって検出され、フロントエンドユニット３１に結合される検出器信号が発生させられ、このフロントエンドユニット３１において、様々な走査信号が発生させられる。走査信号には、主走査信号３３と、トラッキングおよび焦点調整用の誤差信号３５とが含まれる。誤差信号３５は、上記のトラッキングアクチュエータおよび焦点アクチュエータを制御するため、サーボユニット２５に結合される。情報を取り出すため、主走査信号３３は、復調器、デフォーマッタ、および出力ユニットを含む、通常のタイプの読出処理ユニット３０によって処理される。
【００４１】
制御ユニット２０は、情報の走査および取出しを制御するものであり、ユーザーまたはホストコンピュータからコマンドを受け取るように構成されていてもよい。制御ユニット２０は、制御ライン２６（たとえばシステムバス）を介して、装置内の他のユニットに接続されている。制御ユニット２０は、たとえば以下に述べる処理および機能を実行するためのマイクロプロセッサ、プログラムメモリ、およびインターフェースといった、制御回路構成を含んでいる。制御ユニット２０はまた、論理回路内にステートマシンとして実装されていてもよい。
【００４２】
上記の装置は、焦点調整領域の位置を特定して、焦点サーボユニット２５を調整するための、焦点調整ユニット３２を有している。以下に述べるようにして焦点調整領域内のキャリアパターンを走査することにより、最良の焦点が検出される。焦点調整領域の走査中には、上記の焦点マークに起因する走査信号の振幅が検出される。特に、焦点オフセットを変化させることにより、最大の振幅が見出される。また、焦点マークに起因する信号の振幅を検出するのに読出ユニット３０内に利用可能に存在する読出回路構成を利用することとして、焦点調整ユニットが、ソフトウェア機能として制御ユニット２０内に実装されてもよい。制御ユニット２０は、以下に詳細に説明するような焦点調整機能を実行するように、焦点サーボユニット２５およびその他の読出機能を制御する。
【００４３】
ある実施形態では、この装置は、以下のようにして走査信号中のプリグルーブ変調を検出する、プリグルーブ復調ユニット３４を有している。主走査信号３３が、フロントエンドユニット３１から受信される。プリグルーブ復調ユニット３４により、プリグルーブ変調から記録制御情報が取り出される。補助信号のデータクロックを再構築するためのタイミングリカバリは、ウォブル周波数またはプリグルーブ変調自体に基づいたものであってもよい。ある実施形態では、タイミングリカバリは、主データ用に取得されたデータクロックに基づいたものとされる。補助データのデータビットを検出するために、同期検出が適用されてもよい。ある実施形態では、プリグルーブ変調に、ユーザーデータに用いられるチャネルコードとは異なるチャネルコードおよび／またはエラー訂正コードが与えられ、復調ユニット３４に、専用のチャネルコード復調器および／またはエラー訂正ユニットが設けられる。ある実施形態では、たとえば焦点マークに合わせて特に調整された低域通過作用または帯域通過作用を有するフィルタユニットにより、信号３３中の主情報のマークに起因する成分が除去され、プリグルーブ変調のマークに起因する成分が分離される。
【００４４】
ある実施形態では、上記の装置には、書込可能型または書換可能型の記録担体上（たとえば、ＣＤ−Ｒ、ＣＤ−ＲＷ、ＤＶＤ＋ＲＷ、またはＢＤ上）に情報を記録するための、記録手段が設けられる。この記録手段は、ヘッド２２およびフロントエンドユニット３１と協働して、書込用の放射ビームを発生させるものであり、入力情報を処理してヘッド２２を駆動させる書込信号を発生させるための書込処理手段を含んでいる。この書込処理手段は、入力ユニット２７、フォーマッタ２８、および変調器２９を含んでいる。情報を書き込むため、放射ビームは、光検出可能なマークを記録層内に生成するように制御される。マークは、光読出可能ないかなる形態のものであってもよく、たとえば、染料、合金、または相変化材料といった材料に記録を行う際に得られる、周辺部分と異なる反射係数を有する領域の形態であってもよいし、光磁気材料に記録を行う際に得られる、周辺部分と異なる分極方向を有する領域の形態であってもよい。
【００４５】
光ディスクへの記録およびフォーマット化のための情報の書込および読出技術、誤差修正技術、およびチャネルコード化の規則は、当該技術分野において（たとえばＣＤシステムやＤＶＤシステムより）よく知られている。ある実施形態では、入力ユニット２７は、アナログオーディオおよび／またはビデオ信号や圧縮されていないデジタルオーディオ／ビデオ信号といった入力信号のための、圧縮手段を含む。適当な圧縮手段は、ビデオ信号に関してはＭＰＥＧの規格に記載されている。ここで、ＭＰＥＧ−１はＩＳＯ／ＩＥＣ  １１１７２において規定されたものであり、ＭＰＥＧ−２はＩＳＯ／ＩＥＣ  １３８１８において規定されたものである。あるいは、入力信号は、そのような規格に従って既にコード化されているものであってもよい。
【００４６】
焦点調整ユニット３２、焦点サーボユニット２５、および制御ユニット２０は、最適な焦点オフセットを見出す焦点調整機能を実行する。まず、焦点調整領域の位置が特定され、その焦点調整領域内のトラック上にヘッドが配される。続いて、焦点マークのキャリアパターンが走査され、ある範囲の焦点オフセット値に対して、読出信号の振幅が検出される。信号の最大値は、最良の焦点オフセット値を示すものであり、この焦点オフセット値が、焦点サーボユニット内のオフセット調整設定に記憶される。ある実施形態では、多層ディスクに対する焦点調整機能が、各層に対して個別に実行される。各層上の焦点調整領域の位置が特定され、第１の層について上記で示したような各工程がさらに実行される。正しい焦点オフセットを見出すことは、記録可能型および書換可能型のディスクに書込みを行う際に重要である。最適でない焦点オフセットを用いると、データが最適でない態様でディスク上に書き込まれてしまい、このことが、ジッタ値の増大をもたらす（特に読出時において）。
【００４７】
本発明の装置のある実施形態では、高周波（ＨＦ）データとも呼ばれる主ユーザーデータが、変調されたプリグルーブ上に重畳される。このことは、たとえばリードイン領域またはリードアウト領域を形成するＤＶＤ−ＲＯＭ等の規格との、互換性のために必要とされるかもしれない。ここで、プリグルーブ変調とＨＦデータとを含む領域は、品質が低下したＨＦ読出信号を呈するかもしれない点に留意されたい。さらに、重畳後は、プリグルーブ変調がもはや検出できなくなるかもしれない。本発明の装置のある実施形態では、焦点調整ユニット３２は、記録担体上において記録されたデータが利用可能になると直ちに、ジッタ、エラー率または振幅といった、そのデータに関する測定値に基づいて、焦点状態を調整するように構成される。
【００４８】
ビデオおよびデータの用途における書込可能型および書換可能型の光記憶は、急速に成長している市場である。ＤＶＤ＋Ｒ／＋ＲＷに関しては、記憶容量は４．７ギガバイトであり、これはビデオ記録およびデータの用途にとっては限られた記憶量である。より大きなデータ記憶容量が望ましい。１つの選択肢は、複数の情報層を有する光ディスクを用いることである。
【００４９】
図３は、多層型の光ディスクを示した図である。Ｌ０は第１の記録層４０であり、Ｌ１は第２の記録層４１である。第１の透明層４３が第１の記録層を覆っており、スペーサー層４２が両記録層４０と４１とを隔てており、基板層４４が第２の記録層４１の下に示されている。第１の記録層４０は、第２の記録層４１よりも、記録担体の入射面４７に近い位置に配されている。Ｌ０層上に合焦させられた第１の状態４５のレーザービーム、およびＬ１層上に合焦させられた第２の状態４６のレーザービームが示されている。各記録層は、焦点調整パターンを有している。
【００５０】
多層ディスクは、ＤＶＤ−ＲＯＭやＤＶＤ−ビデオといった、読出専用の予め記録されたディスクとして既に入手可能である。二層ＤＶＤ＋Ｒディスクも近年提案されており、これは好ましくは二層ＤＶＤ−ＲＯＭの規格と互換性を有するべきものである。両層の反射レベルは、＞１８％である。Ｌ０層は、５０から７０％程度の透過率を有している。スペーサー層は、典型的には３０から６０μｍの厚さで２つの層を隔てる。Ｌ１層は、高い反射率を有する層であり、極めて高感度である必要がある。書換可能型の二層ディスクも提案されている。Ｌ０層は、４０から６０％程度の透過率を有する。両層の実効反射率は、典型的には７％であるが、より低いまたはより高い値もあり得る（３％から１８％程度）。三層以上の記録層を有する書込可能型および書換可能型の光記憶媒体も考えられる。
【００５１】
図４は、焦点誤差信号のＳ字曲線を示した図である。この図には、記録層より下の位置から記録層より上の位置まで変化させられた焦点に対する、焦点誤差信号４８が示されている。たとえば、単層型の＋ＲＷまたはＲＯＭでは、焦点誤差をＳ字曲線のゼロ交差点４９に保つことによって、最適な焦点オフセットが見出される。予め記録されたデータに対して最適化することにより、追加の微調整が行われてもよい（ＲＯＭディスクの場合）。二層ＤＶＤ−ＲＯＭ（ＤＶＤ−９）では、焦点誤差をＳ字曲線のゼロ交差点に保ち、その後、読出信号のジッタを最小とすることにより焦点オフセットをさらに最適化することによって、最適な焦点オフセットが見出される。ここで、最適な焦点オフセットは、焦点が合わせられていない他の層からの迷光、および一般的には焦点が合わせられている層の理想的でない深さに起因する収差を被るが、これは、ジッタに対して最適化することによって補償することができる。（未記録状態の）二層ＤＶＤ＋Ｒ／＋ＲＷには、ジッタ値を最適化するための予め記録されたデータが存在しない。
【００５２】
図５は、多層光ディスクと迷光とを示した図である。Ｌ０は第１の記録層４０であり、Ｌ１は第２の記録層４１である。Ｌ０層に合焦させられたレーザービーム４５が図示されている。また、焦点が合わせられていない第２の層Ｌ１から反射された、迷光５０が図示されている。二層ディスクでは、予め記録されたデータが存在せず、かつ焦点オフセットが、焦点が合わせられていない層からの不均一な迷光５０と、焦点が合わせられている層の理想的でない深さ位置に起因する収差とを被るという状況下において、書込みのための最良の焦点オフセット値を見出すという問題がある。
【００５３】
図６は、検出器上の反射光を示した図である。４分割型の検出器６１が、模式的に示されている。反射光６２は、焦点が合わせられていない層からの迷光を含んでいる。この迷光は、検出器上全体に亘って、強度が不均一な陰影を与える。
【００５４】
図７は、焦点誤差信号のＳ字曲線と焦点オフセットとを示した図である。公称焦点７２が、ゼロ交差点に示されている。しかしながら、ここでは最良の焦点オフセット（すなわちジッタを最小とするのに最も良いオフセット）が、正オフセット７１または負オフセット７３へとシフトさせられる。ここで、迷光だけでなく、たとえば最上部の透明層の公称厚さからのずれといった他の要因も、最良のオフセットを左右している点に留意されたい。ある実施形態では、焦点マーク（たとえば、Ｉ１１−Ｉ１１のピットおよびランドといったような、１１チャネルビットの長さを有するマーク）を伴う予め記録された大きな単調キャリアが、焦点調整領域に設けられる。焦点調整領域は、たとえば二層ディスクのリードイン領域および／またはリードアウト領域といった、予め規定された領域内に配される。好ましくは、各々すべての記録層が焦点調整領域を含む。ある実施形態では、データ領域のプリグルーブと同一の溝深さを有する、プリグルーブ・ランドとプリグルーブ・ピットとが構成されるように、プリグルーブが変調される。焦点マークを用いると、読出信号の最大の振幅が、おおよそ書込用の最適な焦点オフセット値を与える。ある実施形態では、そうして見出された焦点調整が、短い書込テストでさらに改善され、焦点オフセットがジッタに対して微調整される。
【００５５】
ここで、読出信号のみが最適化されるので、予め記録されたキャリアパターンの溝深さは、最大絶対値信号を与えるように最適化されなくてもよい点に留意されたい。したがって、ディスクのマスタリングの際、プリグルーブを作製するのに必要な従来型の技術を用いることができる。上記で検討したすべてのケースにおいて、焦点マークに起因する最大の信号振幅は、おおよそ正しい焦点オフセット値に対応する。
【００５６】
図８は、ある二層ディスクについてのジッタ値を示した図である。最大の信号を二層ディスク上のジッタの関数として示すため、縦軸にジッタ値が、横軸に読出信号の値が示されている。上側の曲線８１は、焦点マークのキャリアパターンを読み出す際の、Ｌ１層についてのジッタ値を示しており、下側の曲線８２は、Ｌ０層についてのジッタ値を示している。両方の層において、最大の信号値が最良の（すなわち最も低い）ジッタ値に対応することが見て取れる。数種類のディスク（標準的なＤＶＤ＋ＲＷディスク、ＤＬ  ＲＯＭディスク、二層ＤＶＤ＋ＲＷディスク、単層のＬ０ならびにＬ１の＋ＲＷスタック、二層ＤＶＤ＋Ｒディスク、および単層のＬ０ならびにＬ１の＋Ｒスタック）が調べられた。いずれのケースでも、最小ジッタ値は、長いマークのパターン（たとえばＩ１１キャリア）の高い信号振幅と関連付けられた。
【００５７】
図９は、ある二層ディスクのＬ１層について、読出信号を、焦点オフセットの関数として示した図である。最大の信号を二層ディスク上の焦点オフセットの関数として示すため、縦軸に読出信号の値が、横軸に焦点オフセットの値が示されている。グレーの三角記号で示された第１の曲線９１は、焦点マークに起因する読出信号を示している。破線で示された第２の曲線９２は、第１の曲線９１に基づく多項式を示しており、これは、最大の信号が約−１ボルトのオフセットに対応することを示している。この約−１ボルトのオフセットは、図１０に示されている最良のオフセットに対応する。菱形記号で示されている第３の曲線９３は、プッシュプル信号を示している。この曲線に基づく多項式は、ほぼ同じ信号値をカバーする。プッシュプル信号には、最良の焦点オフセットを見出すのに利用可能な明確な最大値は、見て取ることができない。ここで、最適でない焦点深さにより生じる収差のため、プッシュプル信号の最大値は、最も低いジッタと直接関連付けられない点に留意されたい。
【００５８】
図１０は、ある二層ディスクのＬ１層について、ジッタを、焦点オフセットの関数として示した図である。縦軸にジッタ値が、横軸に焦点オフセットの値が示されている。バスタブ型の曲線９５は、データ読出中において予想されるエラーに対応するジッタを、二層ディスク上の焦点オフセットの関数として示している。最良の焦点オフセットは、バスタブ型の曲線９５の中央部に対応する、約−１ボルトのオフセットである。図９に示されているように、最良のオフセット値は、焦点マークのキャリアパターンに起因する読出信号の最大値に対応する。
【００５９】
図１５には、単調ウォブル１０２の一例が示されている。ある実施形態では、連続する１つのピット焦点マークと１つのランド焦点マークとの全体の周期が、ウォブル長のＮ／２倍（Ｎは整数）に等しくされ、ランド焦点マークは、ウォブルが変位を有さない位置に合わせて配される。図１５では、ランド焦点マークの位置は、黒の四角記号１０３で示されている。図から明らかなように、ランド焦点マークは、ウォブルがゼロの変位を有する個所に配されている。この位置合わせにより、ウォブル信号の品質低下が最小限に抑えられる。単調ウォブル領域内におけるかかる焦点マークの配置は、ウォブルデータの品質が焦点マークの存在によって低下せず、したがってより信頼性の高いウォブル情報の読出しに繋がるという利点を有する。
【００６０】
ある実施形態では、ランド焦点マークの始点位置が、ウォブルの同期と位置合わせされる。この形態は、図１６に示されている。矢印１０７は、ウォブルの同期パターンに対する、ランド焦点マークの始点の相対位置を示している。ウォブルの同期パターンは、ＡＤＩＰビット同期フィールド１０４で始まり、その後にＡＤＩＰワード同期フィールド１０５が続く。ＡＤＩＰワード同期フィールド１０５の後には、ＡＤＩＰデータビットフィールド１０６が続く。焦点マークは、ウォブルの同期パターンに後続する、単調ウォブル周期の８５周期分の中に配される。
【００６１】
プッシュプル・トラッキング信号内のオフセットを低減するためには、半径方向におけるランド焦点マークの整列は避けられるべきである。図１７では、１つのランド焦点マーク１０３について矢印１０８で示されているように、ランド焦点マーク１０３は、隣り合うランド焦点マーク１０３を有していない。
【００６２】
さらに別の１つの実施形態では、トラックピッチの何倍かに等しい半径Ｒ内において、いずれの方向にもランド焦点マークの位置に周期性が生じないように、ランド焦点マークが、キャリアパターン内においてランダムに配される。図１８には、この形態が、矢印１０８、１０９および１１０を用いて示されている。図１８のランド焦点マークのパターンは、ランダムなパターンである。
【００６３】
以上、本発明を、主として反射率の変化に基づく光ディスクを用いた実施形態によって説明してきたが、本発明は他の記録担体にも適している。それにはたとえば、矩形の光カード、光磁気ディスク、または書込可能な記録担体上に予め適用されたパターンを有するあらゆるタイプの情報記憶系が含まれる。また、記録担体は、ＣＤタイプ、ＤＶＤタイプ、ブルーレイディスクタイプ、単層型、多層型、またはその他の任意のタイプの光ディスクであってもよい。ここで、この明細書、図面、および特許請求の範囲において、「含む」または「備える」との語は、列挙された以外の要素または工程の存在を排除するものではなく、また、ある要素の前に置かれた「１つの」との語は、かかる要素が複数存在することを排除するものではない点に留意されたい。また、いずれの参照番号も本発明の範囲を限定するものではなく、本発明はハードウェアとソフトウェアとの両方によって実装可能であり、また、いくつかの「手段」または「ユニット」がハードウェアまたはソフトウェアの同一の項目により実現されてもよい点にも留意されたい。さらに、本発明の範囲は上記の実施形態に限定されるものではなく、本発明の思想は、上記に説明した各々すべての新規な特徴および特徴の組合せに内在する。
【図面の簡単な説明】
【００６４】
【図１ａ】ディスク形状の記録担体を示した図
【図１ｂ】図１ａの記録担体の断面図
【図１ｃ】トラックのウォブルの一例を示した図
【図１ｄ】幅の変動によるプリグルーブ変調を有するウォブルを示した図
【図１ｅ】深さの変動によるプリグルーブ変調を有するウォブルを示した図
【図２】焦点調整を有する走査装置を示した図
【図３】多層光ディスクを示した図
【図４】焦点誤差信号のＳ字曲線を示した図
【図５】多層光ディスクと迷光とを示した図
【図６】検出器上の反射光を示した図
【図７】焦点誤差信号のＳ字曲線と焦点オフセットとを示した図
【図８】二層ディスクについて、ジッタ値を示した図
【図９】二層ディスクのＬ１層について、読出信号を、焦点オフセットの関数として示した図
【図１０】二層ディスクのＬ１層について、ジッタを、焦点オフセットの関数として示した図
【図１１】５０％未満のデューティーサイクルを持つ、ランド焦点マークとピット焦点マークとを有するウォブルを示した図
【図１２】約５％のデューティーサイクルを有する焦点マークのテストパターンを伴う、スタンパーの顕微鏡写真
【図１３】図１２のテストパターンから得られる走査信号を示した図
【図１４】記録担体上の焦点マークを有する領域から得られる、走査信号およびプッシュプル信号を示した図
【図１５】焦点マークを伴う単調ウォブルを示した図
【図１６】同期パターンおよび焦点マークを伴うウォブルを示した図
【図１７】ランド焦点マークの１つの分布を、複数のトラックに亘って示した図
【図１８】いずれの方向にも周期性を有さないランド焦点マークの別の１つの分布を、複数のトラックに亘って示した図
【図１ａ】
2007508645.tif 000003
【図１ｂ】
2007508645.tif 000004
【図１ｃ】
2007508645.tif 000005
【図１ｄ】
2007508645.tif 000006
【図１ｅ】
2007508645.tif 000007
【図２】
2007508645.tif 000008
【図３】
2007508645.tif 000009
【図４】
2007508645.tif 000010
【図５】
2007508645.tif 000011
【図６】
2007508645.tif 000012
【図７】
2007508645.tif 000013
【図８】
2007508645.tif 000014
【図９】
2007508645.tif 000015
【図１０】
2007508645.tif 000016
【図１１】
2007508645.tif 000017
【図１２】
2007508645.tif 000018
【図１３】
2007508645.tif 000019
【図１４】
2007508645.tif 000020
【図１５】
2007508645.tif 000021
【図１６】
2007508645.tif 000022
【図１７】
2007508645.tif 000023
【図１８】
2007508645.tif 000024
【国際調査報告】
2007508645.tif 000025
2007508645.tif 000026
2007508645.tif 000027
2007508645.tif 000028
2007508645.tif 000029